(57)【特許請求の範囲】
【請求項１】
トラス構造を構成する長棒状部材を連結する一対のガセットプレートのうち一方のガセットプレートに係止される一以上の第一係止部、及び、他方のガセットプレートに係止される一以上の第二係止部と、
前記第一係止部及び前記第二係止部に支持され、前記第一係止部及び前記第二係止部間に上方から架け渡されたカバー体と
を具備することを特徴とするトラス格点部保護部材。
【請求項２】
前記カバー体は透明である
ことを特徴とする請求項１に記載のトラス格点部保護部材。
【請求項３】
前記カバー体は、前記第一係止部に支持された側から前記第二係止部に支持された側に向かって傾斜している
ことを特徴とする請求項１または請求項２に記載のトラス格点部保護部材。
【請求項４】
前記カバー体の外周の少なくとも一部に沿って配された帯状のゴム体を、更に具備する
ことを特徴とする請求項１乃至請求項３の何れか一つに記載のトラス格点部保護部材。
【請求項５】
トラス構造を構成する長棒状部材が一対のガセットプレートで連結されたトラス格点構造であって、
一対の前記ガセットプレートのうち一方の前記ガセットプレートに係止された一以上の第一係止部、他方の前記ガセットプレートに係止された一以上の第二係止部、及び、前記第一係止部及び前記第二係止部に支持され、前記第一係止部及び前記第二係止部間に上方から架け渡されたカバー体を備えるトラス格点部保護部材を具備し、
前記カバー体は、隣接する前記長棒状部材及び一対の前記ガセットプレートで囲まれた空間の上方を被覆している
ことを特徴とするトラス格点構造。
【請求項６】
前記カバー体は、前記ガセットプレートに交差する方向の外形が、対面する前記長棒状部材の外形に沿う形状である
ことを特徴とする請求項５に記載のトラス格点構造。
【発明の詳細な説明】
【技術分野】
【０００１】
本発明は、トラス構造体における格点部を保護するトラス格点部保護部材、及び、該トラス格点部保護部材を備えるトラス格点構造に関するものである。
【背景技術】
【０００２】
トラス橋など一般的なトラス構造体において、トラス構造を構成する長棒状部材の格点部は、図１１に示すように、隣接する長棒状部材５０を挟み込む一対のガセットプレート５５によって連結されている。ここで、図１１では、隣接する長棒状部材５０の一方が斜材５１で他方が垂直材５２である場合を図示しているが、隣接する長棒状部材の双方が斜材の場合もある。
【０００３】
このようなトラス構造体の格点部には、隣接する長棒状部材５０及び一対のガセットプレート５５で囲まれた、箱状の空間Ｓが存在する。そして、塵芥、土砂、落ち葉などが風雨によって運ばれ、一旦この空間Ｓに入り込むと、自然には空間Ｓ外に出て行きにくいため、空間Ｓ内に堆積する。その結果、空間Ｓ内の堆積物、堆積物に保持された雨水、融雪剤等に起因して、格点部が腐食する。そして、格点部の腐食が進行すれば、トラス構造体が破壊に至るおそれがある。実際に、格点部の腐食に起因して、トラス橋が崩壊する事故も起きている。
【０００４】
また、従来では、トラス構造体の格点部が腐食すると、腐食した部分に当て板をして補強し、防錆処理及び塗り替え塗装を行う補修が行われていた。このような補修作業は、手間及び日数を要し、トラス構造体の維持費が高いものとなっていた。
【０００５】
加えて、定期的にトラス構造体の点検が行われる場合であっても、堆積物に遮られて格点部を目視によって点検することができず、腐食の有無や腐食の度合いを把握できないという問題があった。そして、点検のたびに、堆積物の除去作業を行うことは、実際的ではなかった。
【発明の概要】
【発明が解決しようとする課題】
【０００６】
そこで、本発明は、上記の実情に鑑み、トラス構造体の格点部を保護し腐食を抑制できると共に、格点部の目視による点検を容易なものとするトラス格点部保護部材、及び、該トラス格点部保護部材を備えるトラス格点構造の提供を、課題とするものである。
【課題を解決するための手段】
【０００７】
上記の課題を解決するため、本発明にかかるトラス格点部保護部材は、「トラス構造を構成する長棒状部材を連結する一対のガセットプレートのうち一方のガセットプレートに係止される一以上の第一係止部、及び、他方のガセットプレートに係止される一以上の第二係止部と、前記第一係止部及び前記第二係止部に支持され、前記第一係止部及び前記第二係止部間に上方から架け渡されたカバー体とを具備する」ものである。
【０００８】
「長棒状部材」は、トラス構造を構成する“斜材”及び“垂直材”を包含する語である。本発明のトラス格点部保護部材は、斜材及び垂直材を共に備えるトラス構造体に対しても、垂直材を備えず斜材のみでトラス構造が構成されたトラス構造体に対しても、適用することができる。なお、「トラス格点部保護部材」における「トラス格点部」の語は、“トラス構造体の格点部”と同意である。
【０００９】
上記構成のトラス格点部保護部材をトラス構造体の格点部に取り付ける、すなわち、トラス格点部保護部材の第一係止部を一対のガセットプレートの一方に係止させ、第二係止部を他方のガセットプレートに係止させると、第一係止部及び第二係止部間に上方から架け渡されたカバー体によって、一対のガセットプレート間の空間が上方から被覆される。これにより、トラス構造体の格点部において、隣接する長棒状部材及び一対のガセットプレートに囲まれた箱状の空間（以下、「箱状空間」と称することがある）に、塵芥、土砂、落ち葉などが入り込み堆積することが抑制される。その結果、トラス構造体の格点部が、堆積物、堆積物に保持された雨水、融雪剤等に起因して腐食するおそれを、低減することができる。
【００１０】
加えて、トラス構造体の格点部の目視による点検を、堆積物によって妨げられることなく、容易に行うことができる。
【００１１】
本発明にかかるトラス格点部保護部材は、上記構成において、「前記カバー体は透明である」ものとすることができる。
【００１２】
透明なカバー体は、透明な樹脂製の板材や、強化ガラスを使用して形成することが可能である。
【００１３】
上記構成のトラス格点部保護部材では、カバー体が透明であるため、トラス格点部保護部材をトラス構造体に取り付けた状態のまま、格点部を目視で点検することができる。
【００１４】
本発明にかかるトラス格点部保護部材は、上記構成において、「前記カバー体は、前記第一係止部に支持された側から前記第二係止部に支持された側に向かって傾斜している」ものとすることができる。
【００１５】
上記構成のトラス格点部保護部材をトラス構造体の格点部に取り付けた場合、雨水は、一方のガセットプレート側から他方のガセットプレート側に向かう方向に、傾斜を有するカバー体の上を高い方から低い方に流れる。これにより、カバー体と長棒状部材との隙間を介して、格点部の箱状空間の内部に雨水が流下するおそれを低減することができ、水分による格点部の腐食を低減することができる。
【００１６】
本発明にかかるトラス格点部保護部材は、上記構成に加え、「前記カバー体の外周の少なくとも一部に沿って配された帯状のゴム体を、更に具備する」ものとすることができる。
【００１７】
仮に、カバー体をトラス構造体の長棒状部材とぴったり当接させれば、塵芥、土砂、落ち葉などが、カバー体と長棒状部材との間を介して格点部の箱状空間に入り込むことを防止できる反面で、トラス構造体の振動に伴いカバー体と長棒状部材とが擦れ合い、長棒状部材が傷付く、或いは、塗装が剥がれる等の損傷を受けるおそれがある。また、カバー体を長棒状部材に接着・溶接などにより固着すれば、隙間も形成されず、カバー体と長棒状部材との摩擦もなくなる反面で、格点部の剛性が増し、本来的にピン構造（支点において自由に回転しうる構造）であるトラス構造体の動きが、制限されるおそれがある。
【００１８】
これに対し、本発明では、カバー体の外周の少なくとも一部に沿って帯状のゴム体が配されるため、カバー体の寸法及び形状を、長棒状部材との間に隙間が形成される設定としつつ、その隙間をゴム体によって塞ぐことが可能となる。そして、ゴム体は弾性に富むため、弾性変形させて隙間に圧入することにより、カバー体と長棒状部材との間の隙間をぴったりと塞ぐことができる。また、ゴム体は、その弾性により長棒状部材の動きに追随するため、ピン構造であるトラス構造の動きを制限することがない。加えて、ゴム体が長棒状部材とぴったりと当接していても、両者の接触により長棒状部材に傷や塗装の剥離等の損傷を与えるおそれがないという利点も有する。
【００１９】
次に、本発明にかかるトラス格点構造は、「トラス構造を構成する長棒状部材が、一対のガセットプレートで連結されたトラス格点構造であって、一対の前記ガセットプレートのうち一方の前記ガセットプレートに係止された一以上の第一係止部、他方の前記ガセットプレートに係止された一以上の第二係止部、及び、前記第一係止部及び前記第二係止部に支持され、前記第一係止部及び前記第二係止部間に上方から架け渡されたカバー体を備えるトラス格点部保護部材を具備し、前記カバー体は、隣接する前記長棒状部材及び一対の前記ガセットプレートで囲まれた空間の上方を被覆している」ものである。
【００２０】
これは、上述した構成のトラス格点部保護部材が取り付けられたトラス構造体の格点部の構成であり、上記の優れた作用効果を有する。
【００２１】
また、本発明にかかるトラス格点構造は、上記構成において、「前記カバー体は、前記ガセットプレートに交差する方向の外形が、対面する前記長棒状部材の外形に沿う形状である」ものとすることができる。
【００２２】
一般的なトラス構造体では、長棒状部材として鋼材が使用されており、鋼材には、軸方向に直交する断面形状がＨ形のＨ鋼、断面形状がＩ形のＩ鋼、断面形状がコ字形の溝鋼、角筒状の箱鋼、平板状の平鋼など、種々の形状のものがある。そのため、使用される鋼材の種類によって、長棒状部材の外形は種々となる。
【００２３】
上記構成の本発明では、ガセットプレートに交差する方向のカバー体の外形、すなわち、カバー体において長棒状部材と対面する側の形状が、長棒状部材の外形に沿う形状となっている。これにより、長棒状部材とカバー材との間に形成される隙間の大きさを低減することが可能となり、塵芥、土砂、落ち葉などが格点部の箱状空間に入り込むおそれを、より低減することができる。
【発明の効果】
【００２４】
以上のように、本発明の効果として、トラス構造体の格点部を保護し腐食を抑制できると共に、格点部の目視による点検を容易なものとするトラス格点部保護部材、及び、該トラス格点部保護部材を備えるトラス格点構造を、提供することができる。
【図面の簡単な説明】
【００２５】
【図１】本発明の一実施形態のトラス格点部保護部材の斜視図である。
【図２】図１のトラス格点部保護部材を備えるトラス格点構造の斜視図である。
【図３】図１のトラス格点部保護部材を備えるトラス格点構造の縦断面図である。
【図４】他の実施形態の第一係止部及び第二係止部を備えるトラス格点部保護部材の斜視図である。
【図５】図４のトラス格点部保護部材を備えるトラス格点構造の縦断面図である。
【図６】ゴム体を備えるトラス格点部保護部材の平面図である。
【図７】ゴム体の説明図である。
【図８】他の実施形態のカバー体を備えるトラス格点部保護部材の斜視図である。
【図９】図８のトラス格点部保護部材がゴム体を備える場合の平面図である。
【図１０】垂直材を有さないトラス構造体にトラス格点部保護部材を取り付けた場合のトラス格点構造の斜視図である。
【図１１】格点部の箱状空間を説明する斜視図である。
【発明を実施するための形態】
【００２６】
以下、本発明の一実施形態であるトラス格点部保護部材１（以下、単に「保護部材１」と称する）、及び、保護部材１を備えるトラス格点構造について、図１乃至図３を用いて説明する。保護部材１は、トラス構造を構成する長棒状部材を連結する一対のガセットプレートのうち一方のガセットプレートに係止される一以上の第一係止部１０、及び、他方のガセットプレートに係止される一以上の第二係止部２０と、第一係止部１０及び第二係止部２０に支持され、第一係止部１０及び第二係止部２０間に上方から架け渡されたカバー体３０とを具備している。
【００２７】
より詳細に説明すると、本実施形態の保護部材１は、第一係止部１０及び第二係止部２０を、それぞれ一対具備しており、第一係止部１０及び第二係止部２０は、ともに金属の板材で形成されている。第一係止部１０は、矩形平板状の載置部１３と、載置部１３の一対の辺からそれぞれ下方に延設された一対の脚部１４を備えている。この一対の脚部１４の内の一方には、ボルトを挿通させる貫通孔部１５が穿設されている。また、載置部１３の上面と脚部１４のなす角度は直角ではなく、脚部１４の延びる方向を鉛直方向とした場合に、載置部１３の上面が水平とはならずに傾斜する設定とされている。
【００２８】
第二係止部２０の構成は第一係止部１０の構成と同様であり、矩形平板状の載置部２３と、載置部２３の一対の辺からそれぞれ下方に延設された一対の脚部２４を備えており、一対の脚部２４の内の一方には、ボルトを挿通させる貫通孔部２５が穿設されている。そして、載置部２３の上面が脚部２４となす角度は、第一係止部１０の載置部１３の上面が脚部１４となす角度と同一である。一方、第二係止部２０の脚部２４の下端から載置部２３の上面までの長さ（第二係止部２０の高さ）は、第一係止部１０の脚部１４の下端から載置部１３の上面までの長さ（第一係止部１０の高さ）より、大きい設定とされている。
【００２９】
カバー体３０は、透明な樹脂製であり、平板状のカバー本体３１と、カバー本体３１において第一係止部１０に支持された側の端辺（以下、「第一辺３５」と称する）、及び、第二係止部２０に支持された側の端辺（以下、「第二辺３６」と称する）から、それぞれ下方に延設された一対の側方カバー部３２を備えている。
【００３０】
また、カバー体３０において、第一辺３５及び第二辺３６を連結する側辺の形状は、保護部材１をトラス構造体の格点部に取り付けた場合に対面する長棒状部材の外形に沿う形状となっており、本実施形態では、中間部分が外方に向かって突出した凸状に形成されている。
【００３１】
また、カバー体３０は、ボルト６０及びナット（図示しない）の締結によって、第一係止部１０及び第二係止部２０に留め付けられている。具体的には、第一係止部１０の載置部１３及び第二係止部２０の載置部２３をカバー本体３１の底面に当接させた状態で、載置部１３，２３及びカバー本体３１に設けられた孔部を介して、ボルト６０及びナットを締結させている。これにより、カバー本体３１は載置部１３，２３上に載置されるように、第一係止部１０及び第二係止部２０によって下方から支持される。上述のように、載置部１３，２３の上面はそれぞれの脚部１４，２４に対して所定の角度で傾斜しており、第二係止部２０の高さは第一係止部１０の高さより大きく、カバー本体３１は第二係止部２０に載置された側から第一係止部１０に載置された側に向かって下降するように傾斜している。
【００３２】
加えて、カバー体３０と一対の第一係止部１０との留め付け位置は、カバー本体３１において第一辺３５より所定距離だけ内側に位置している。同様に、カバー体３０と一対の第二係止部２０との留め付け位置は、カバー本体３１において第二辺３６より所定距離だけ内側に位置している。
【００３３】
上記構成の保護部材１は、第一係止部１０を一対のガセットプレートの一方に係止させ、第二係止部２０を他方のガセットプレートに係止させることにより、トラス構造体の格点部に取り付けることができる。本実施形態では、図２，３に示すように、第一係止部１０の一対の脚部１４及び第二係止部２０の一対の脚部２４を、それぞれガセットプレート５５を挟むように、ガセットプレート５５の上端辺の近傍に位置させる。その際、第一係止部１０の一対の脚部１４のうち貫通孔部１５が穿設されている方の脚部１４、及び、第二係止部２０の一対の脚部２４のうち貫通孔部２５が穿設されている方の脚部２４が、それぞれガセットプレート５５の外側になるように配される。
【００３４】
この状態で、ボルト６１を用いて、第一係止部１０及び第二係止部２０をガセットプレート５５に係止させる。第一係止部１０を例にとり具体的に説明すると、ガセットプレート５５の外側から、ボルト６１を貫通孔部１５に挿通させ、脚部１４とガセットプレート５５との間において、ボルト６１の軸部にナット６２を螺合させる。そして、ボルト６１の軸端を突出させてガセットプレート５５を押圧することにより、内側の脚部１４及びボルト６１によってガセットプレート５５が挟持され、第一係止部１０がガセットプレート５５に係止される。同様に、第二係止部２０も、ボルト６１及びナット６２を使用して、他方のガセットプレート５５に係止される。
【００３５】
これにより、トラス構造を構成する長棒状部材５０が一対のガセットプレート５５で連結されたトラス格点構造であって、一対のガセットプレートのうち一方のガセットプレート５５に係止された一対の第一係止部１０、他方のガセットプレート５５に係止された一対の第二係止部２０、及び、第一係止部１０及び第二係止部２０に支持され、第一係止部１０及び第二係止部２０間に上方から架け渡されたカバー体３０を備える保護部材１を具備する、トラス格点構造が形成される。なお、図２では、トラス構造を構成する長棒状部材５０が、斜材５１及び垂直材５２である場合を例示している。
【００３６】
上記構成のトラス格点構造では、カバー体３０は、隣接する長棒状部材５０及び一対のガセットプレート５５で囲まれた箱状空間Ｓの上方を被覆している。これにより、塵芥、土砂、落ち葉などが箱状空間Ｓに入り込むことを抑制することができ、堆積物に起因してトラス構造体の格点部が腐食するおそれを抑制することができる。
【００３７】
また、カバー体３０は透明であるため、本実施形態のトラス格点構造の点検の際は、保護部材１を取り付けた状態のまま、格点部を目視で点検することができる。
【００３８】
更に、本実施形態のトラス格点構造では、ボルト６１とナット６２の螺合を解除すれば、保護部材１を格点部から容易に取り外すことができる。また、保護部材１をガセットプレート５５に取り付けるにあたり、上述のように、ボルト６１による押圧力を使用しており、ガセットプレート５５に孔部を穿設する必要がない。仮に、ガセットプレート５５に孔部を穿設し、これにボルトを挿通して保護部材を固定するとしたら、穿設された孔部に起因してガセットプレート５５に亀裂や腐食が生じ、トラス格点構造の欠陥となるおそれがあるところ、本実施形態のトラス格点構造では、かかる不都合が回避されている。
【００３９】
また、上述のように保護部材１では、カバー体３０において第一辺３５及び第二辺３６を連結する側辺は、中間部分が外方に向かって突出した凸状に形成されており、この形状は、保護部材１が取り付けられる位置の断面がＨ形である長棒状部材５０の外形に沿う形状となるように設定されている。すなわち、本実施形態のトラス格点構造においては、ガセットプレート５５に交差する方向のカバー体３０の外形（第一辺３５及び第二辺３６を連結する側辺の形状）は、対面する長棒状部材５０の外形に沿う形状である。これにより、長棒状部材５０とカバー体３０との間に形成される隙間を小さなものとすることが可能であり、塵芥、土砂、落ち葉などが箱状空間Ｓに入り込むことを、より有効に抑制することができる。
【００４０】
また、上記構成の保護部材１が取り付けられたトラス格点構造では、ガセットプレート５５の上端辺とカバー本体３１の底面との間に、少なくとも載置部１３の高さ分の隙間ができる。本実施形態では、図３に示すように、載置部１３の高さ以上の大きさの隙間が形成される位置関係で、第一係止部１０及び第二係止部２０がガセットプレート５５に取り付けられる。これにより、箱状空間Ｓはカバー体３０によって密閉されることなく、内外の通気が確保されるため、箱状空間Ｓ内が高湿度の腐食しやすい環境になることを防止することができる。
【００４１】
更に、保護部材１のカバー体３０は側方カバー部３２を備えているため、本実施形態のトラス格点構造においては、ガセットプレート５５の上端辺とカバー本体３１の底面との間に隙間があっても、箱状空間Ｓの上側方が側方カバー部３２で被覆される。これにより、隙間を介して塵芥、土砂、落ち葉などが箱状空間Ｓに入り込み堆積すること、及び、隙間を介して雨水が箱状空間Ｓに流入することを、有効に抑制することができる。
【００４２】
なお、本実施形態のトラス格点構造では、側方カバー部３２の下端は、ガセットプレート５５の上端より高い位置になるよう設定されている。これにより、カバー体３０で箱状空間Ｓを被覆する作用を十分に発揮しつつ、箱状空間Ｓ内外の通気が側方カバー部３２によって妨げられないものとなっている。
【００４３】
また、上記のように保護部材１では、カバー体３０は第二係止部２０に支持された側から第一係止部１０に支持された側に向かって下降するように傾斜しているため、本実施形態のトラス格点構造では、雨水は傾斜したカバー体３０の高い方から低い方に流下する。加えて、保護部材１では、カバー体３０と第一係止部１０及び第二係止部２０との留め付け位置が、それぞれ第一辺３５及び第二辺３６より内側に位置しているため、本実施形態のトラス格点構造では、カバー本体３１はガセットプレート５５より外側に庇状に張り出している。これにより、傾斜したカバー体３０に沿って流下した雨水は、ガセットプレート５５の外側に落下しやく、箱状空間Ｓ内に雨水が流入することが抑制されている。
【００４４】
次に、上記とは異なる構成の第一係止部１０ｂ及び第二係止部２０ｂを備える保護部材２について説明する。その他の構成は、保護部材１と保護部材２とでは同様である。保護部材２の第一係止部１０ｂは、図４に示すように、矩形平板状の載置部１６と、載置部１６の外周辺から下方に延設された二対の側面を有する脚部１７と、脚部１７の一対の側面にそれぞれ形成された下方に開口するスリット部１８を備えている。また、脚部１７において、スリット部１８を備えない一対の側面の一方には、ボルトを挿通させる貫通孔部１９が形成されている。
【００４５】
同様に、第二係止部２０ｂは、矩形平板状の載置部２６と、載置部２６の外周辺から下方に延設された二対の側面を有する脚部２７と、脚部２７の一対の側面にそれぞれ形成された下方に開口するスリット部２８と、スリット部２８を備えない側面の一つに穿設された貫通孔部２９を備えている。ここで、第一係止部１０ｂのスリット部１８の長さは、第二係止部２０ｂのスリット部２８の長さと同一である。一方、第二係止部２０ｂにおけるスリット部２８の奥端（上端）と載置部２６上面との距離は、第一係止部１０ｂにおけるスリット部１８の奥端（上端）と載置部１６上面との距離より、長い設定とされている。なお、カバー体３０と第一係止部１０ｂ及び第二係止部２０ｂとの留め付けは、保護部材１の場合と同様である。
【００４６】
上記構成の保護部材２を、トラス構造体の格点部に取り付ける際は、図５に示すように、第一係止部１０ｂのスリット部１８及び第二係止部２０ｂのスリット部２８を、それぞれガセットプレート５５に挿し込む。そして、スリット部１８，２８の奥端がガセットプレート５５の上端辺に当接した状態で、上記と同様にボルト６１及びナット６２を用いて、第一係止部１０ｂ及び第二係止部２０ｂをガセットプレート５５に係止させる。このようにすれば、カバー体３０が傾斜した状態となるよう、ガセットプレート５５に対する第一係止部１０ｂ及び第二係止部２０ｂの取り付け位置の高さを調整する必要がなく、取り付け作業が容易である。なお、一対のガセットプレート５５の上端辺とカバー本体３１の底面との間には、それぞれスリット部１８の奥端と載置部１６上面との距離に等しい隙間、及び、スリット部２８の奥端と載置部２６上面との距離に等しい隙間が形成される。
【００４７】
次に、上記構成に加え、カバー体３０の外周の少なくとも一部に沿って配された帯状のゴム体４０を、更に具備する保護部材３、及び、保護部材３を備えるトラス格点構造について説明する。保護部材３が保護部材１，２と相違する点は、図６に示すように、第一辺３５と第二辺３６とを連結する凸形状の側辺に沿って配された、帯状のゴム体４０を具備する点である。
【００４８】
このゴム体４０は、図７に示すように、厚さ方向の中途部に開口し長軸方向に沿って延びるスリット４１を備えている。そして、カバー本体３１の側辺をスリット４１内に挿し込むように、カバー体３０にゴム体４０を取り付けることができる。
【００４９】
上記構成の保護部材３を備えるトラス格点構造では、カバー体３０の寸法及び外形を、長棒状部材との間に隙間が形成される設定としつつ、この隙間をゴム体４０で閉塞することが可能となる。これにより、長棒状部材５０がカバー体３０との摩擦によりに損傷を受けるおそれを、両者間のクリアランスによって回避し、且つ、両者間の隙間から箱状空間Ｓに塵芥や土砂等が浸入し雨水が流入するおそれを、ゴム体４０によって低減することができる。また、ゴム体４０の弾性により、ピン構造としてのトラス構造の動きを制限することなく、長棒状部材５０とカバー体３０との隙間をぴったりと塞ぐことができる。
【００５０】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００５１】
例えば、上記では、カバー体３０において第一辺３５と第二辺３６とを連結する二つの側辺の形状が、共に凸状である場合を例示したが、この側辺の形状は長棒状部材の外形に応じて種々となる。例えば、隣接する長棒状部材の一方の側面が平坦な格点部に取り付けられる保護部材４は、図８に示すように、第一辺３５と第二辺３６とを連結する側辺として、凹凸のない直線形状の側辺３８を有するカバー体３０ｂを具備する。また、このような直線形状の側辺３８を有するカバー体３０ｂの場合、図９に例示するように、帯状のゴム体４０も直線状に配される。
【００５２】
また、上記では、トラス構造を構成する長棒状部材５０が斜材５１及び垂直材５２である場合を例示したが、これに限定されず、図１０に示すように、斜材５１のみで構成されたトラス構造体の格点部にも、本発明のトラス格点部保護部材を取り付けることが可能である。また、本発明のトラス格点部保護部材及びトラス格点構造は、トラス橋の他、建築物や土木構造物など、格点部が露呈しているトラス構造体に、好適に適用することができる。
【符号の説明】
【００５３】
１，２，３，４  トラス格点部保護部材
１０，１０ｂ  第一係止部
２０，２０ｂ  第二係止部
３０  カバー体
４０  ゴム体
５０  長棒状部材
５５  ガセットプレート
Ｓ  長棒状部材及び一対のガセットプレートで囲まれた空間（箱状空間）
【図１】
0005456740.tif 000002
【図２】
0005456740.tif 000003
【図３】
0005456740.tif 000004
【図４】
0005456740.tif 000005
【図５】
0005456740.tif 000006
【図６】
0005456740.tif 000007
【図７】
0005456740.tif 000008
【図８】
0005456740.tif 000009
【図９】
0005456740.tif 000010
【図１０】
0005456740.tif 000011
【図１１】
0005456740.tif 000012